(57)【特許請求の範囲】
【請求項１】
基布に長さが３０ｍｍ以上のパイルを植設した人工芝を下地上に敷設するとともに、上記パイル間に粒状物層を形成してなる人工芝製運動場において、
上記粒状物層は、上記基布側に位置する下層、同下層上に位置する中間層および同中間層上に位置する上層の３層を含み、上記下層がかさ比重１．２以上の硬質粒状物により形成されており、上記中間層は上記下層側に形成された弾性粒状物よりなる第１層およびその上に形成されたかさ比重１．２以上の硬質粒状物よりなる第２層の積層物を繰り返し単位として同積層物を少なくとも１層分含み、上記上層が弾性粒状物よりなることを特徴とする人工芝製運動場。
【請求項２】
上記人工芝と上記下地との摩擦係数が０．７以下である場合には、上記下層を形成する硬質粒状物の充填重量を７ｋｇ／ｍ２以上とすることを特徴とする請求項１に記載の人工芝製運動場。
【請求項３】
上記人工芝と上記下地との摩擦係数が０．７を超える場合には、上記下層を形成する硬質粒状物の充填重量を５ｋｇ／ｍ２以上とすることを特徴とする請求項１に記載の人工芝製運動場。
【請求項４】
上記下層を形成する硬質粒状物および／または上記第２層を形成する硬質粒状物が、実際にプレーに供された別の砂入り人工芝製運動場から回収された目砂であることを特徴とする請求項１ないし３のいずれか１項に記載の人工芝製運動場。
【請求項５】
上記第１層を形成する弾性粒状物および／または上記上層を形成する弾性粒状物が、使用済みタイヤなどの廃棄物ゴム製品の粉砕物であって、その粒度分布の中央値が０．２〜１．５ｍｍであることを特徴とする請求項１ないし４のいずれか１項に記載の人工芝製運動場。
【請求項６】
基布に長さが３０ｍｍ以上のパイルを植設した人工芝を下地上に敷設した後、上記パイル間に粒状物層を形成してなる人工芝製運動場の施工方法において、
上記基布側にかさ比重１．２以上の硬質粒状物によりなる下層を形成する第１工程と、上記下層上に弾性粒状物を充填した後、その上にかさ比重１．２以上の硬質粒状物を充填して中間層を形成する第２工程と、上記中間層上に弾性粒状物を充填する第３工程とを含むことを特徴とする人工芝製運動場の施工方法。
【請求項７】
上記第２工程において、上記弾性粒状物と上記硬質粒状物とを少なくとも１回ずつ交互に散布し、かつ、それぞれの散布後にブラシ掛けして上記２種類の粒状物を人工芝内で混合させることを特徴とする請求項６に記載の人工芝製運動場の施工方法。
【発明の詳細な説明】
【０００１】
【発明の属する技術分野】
本発明は、人工芝製運動場およびその施工方法に関し、さらに詳しく言えば、パイル間（芝目内）に硬質粒状物と弾性粒状物の２種類の粒状物を充填してなる人工芝製運動場およびその施工技術に関するものである。
【０００２】
【従来の技術】
テニスコートを初めとして、サッカー場や野球場などの各種運動競技場の表層材として、基布にナイロンやポリプロピレンなどの合成樹脂パイルを植設した人工芝が広く使用されているが、多くの場合、例えばスライデング時における摩擦火傷の防止やプレー性の面で適度な弾力性を得るために、その芝目内に粒状物を充填するようにしている。
【０００３】
粒状物入り人工芝の例をいくつか挙げると、特開昭６２−６３７０１号公報には粒状物としてゴムチップを充填した人工芝が提案されている（第１従来例）。実公平１−６８６３号公報には下層をゴムチップとし、その上層を砂とした人工芝が提案されている（第２従来例）。
【０００４】
特開平７−１５８００７号公報には下層を砂とし、上層をゴムチップとした人工芝が提案されている（第３従来例）。また、ＵＳＰ５９５８５２７号明細書には下層が砂で、中間層が砂とゴムチップの混合物で、上層がゴムチップからなる３層構造の人工芝が開示されている（第４従来例）。
【０００５】
【発明が解決しようとする課題】
粒状物入り人工芝の利点の一つに、粒状物の重量により人工芝が押さえられるため、下地上に置き敷きするだけでよく施工が簡単に行えることが挙げられるが、ゴムチップのみを充填した上記第１従来例では、ゴムチップが軽いため人工芝の安定性が損なわれ、シワが発生しやすくなる。特に、下地が砕石で人工芝との摩擦係数が小さい場合にシワの発生が顕著に現れる。
【０００６】
下層をゴムチップ、上層を砂とした上記第２従来例によると、ゴムチップが砂よりも軽いため、施工時のブラッシングにより、また、使用中の衝撃などにより、次第にゴムチップが上に上がってきてしまう。
【０００７】
また、下層を砂、上層をゴムチップとした上記第３従来例では、特に芝丈が３０ｍｍ以上のロングパイルの場合、下層に入れる砂のレベルを均一化することが困難となるため、そのレベルの不均一が上層のゴムチップ厚みに直接的に反映され、均一な表面硬さの確保が難しくなる。
【０００８】
上記第４従来例によれば、下層（砂）と上層（ゴムチップ）との間に、砂とゴムチップの混合物からなる中間層を設けているため、下層と上層の各粒状物が入り替わったりするおそれはないが、これにも次のような課題がある。
【０００９】
すなわち、上記第４従来例では、中間層を形成するにあたって、砂とゴムチップの混合物を散布し、ブラシッシングによりパイルを掻き起こして芝目内に充填するようにしているが、実際にやって見ると、まず砂とゴムチップは比重の差により均一に混ぜ合わすことが難しい。
【００１０】
そればかりでなく、散布してブラシ掛けする際に重い砂と軽いゴムチップとが分離する傾向が強く、結果的に上記第３従来例と同じく下層側が不均一になりがちで、均一な表面硬さの確保が難しくなる。また、あらかじめ砂とゴムチップを混ぜ合わせる作業が必要となるため、その分、コストも高くなる。
【００１１】
【課題を解決するための手段】
本発明によれば、特に芝丈（パイル長）が３０ｍｍ以上のロングパイルであっても、硬質粒状物と弾性粒状物の各充填層のレベルが均一化された人工芝製運動場が得られる。
また、本発明の施工方法によれば、硬質粒状物と弾性粒状物の各粒状物の充填が容易であり、人工芝内において硬質粒状物と弾性粒状物の混合物からなる中間層を得ることができる。
【００１２】
そのため、本発明は、基布に長さが３０ｍｍ以上のパイルを植設した人工芝を下地上に敷設するとともに、上記パイル間に粒状物層を形成してなる人工芝製運動場において、上記粒状物層は、上記基布側に位置する下層、同下層上に位置する中間層および同中間層上に位置する上層の３層を含み、上記下層がかさ比重１．２以上の硬質粒状物により形成されており、上記中間層は上記下層側に形成された弾性粒状物よりなる第１層およびその上に形成されたかさ比重１．２以上の硬質粒状物よりなる第２層の積層物を繰り返し単位として同積層物を少なくとも１層分含み、上記上層が弾性粒状物よりなる構成を採用している。
【００１３】
例えば上記下地が砕石層で、上記人工芝とその下地との摩擦係数が０．７以下である場合、本発明では人工芝の安定性を確保するため、上記下層を形成する硬質粒状物の充填重量を７ｋｇ／ｍ２以上とする。また、例えば上記下地がアスファルト下地で、その上に裏止め材を有する人工芝を配置する場合など、上記人工芝とその下地との摩擦係数が０．７を超える場合には、上記下層を形成する硬質粒状物の充填重量は５ｋｇ／ｍ２以上でよい。
【００１４】
リサイクル性の観点から、上記下層を形成する硬質粒状物もしくは上記第２層を形成する硬質粒状物の少なくともいずれか一方に、実際にプレーに供された別の砂入り人工芝製運動場から回収された目砂を用いることが好ましい。
【００１５】
同じく、上記第１層を形成する弾性粒状物もしくは上記上層を形成する弾性粒状物の少なくとも一方に、使用済みタイヤなどの廃棄物ゴム製品の粉砕物であって、その粒度分布の中央値が０．２〜１．５ｍｍであるものが好ましく採用される。
【００１６】
また、本発明の施工方法は、基布に長さが３０ｍｍ以上のパイルを植設した人工芝を下地上に敷設した後、上記パイル間に粒状物層を形成してなる人工芝製運動場を構築するにあたって、上記基布側にかさ比重１．２以上の硬質粒状物によりなる下層を形成する第１工程と、上記下層上に弾性粒状物を充填した後、その上にかさ比重１．２以上の硬質粒状物を充填して中間層を形成する第２工程と、上記中間層上に弾性粒状物を充填する第３工程とを含んでいることを特徴としている。
【００１７】
上記第２工程で中間層を形成する場合、上記弾性粒状物と上記硬質粒状物とを少なくとも１回ずつ交互に散布し、かつ、それぞれの散布後にブラシ掛けして上記２種類の粒状物を人工芝内で混合させることも本発明の特徴の一つであり、これによれば、弾性粒状物と硬質粒状物とをあらかじめ混合しておく必要性がなくなる。
【００１８】
【発明の実施の形態】
次に、本発明の実施の形態を図面を参照しながら説明する。図１は本発明による人工芝製運動場の一部を模式的に示した断面図で、図２にはその施工方法が工程順に図解されている。
【００１９】
人工芝１は、従来と同様に例えば平織り布からなる基布２を有し、この基布２にはナイロン繊維もしくはポリプロピレン繊維などからなるパイル３が多数植設されているが、本発明は、パイル長が３０ｍｍ以上のロングパイルのものに好ましく適用される。この実施形態で、パイル３は５０〜６０ｍｍの長さを有している。
【００２０】
人工芝１内には粒状物が充填されるが、その層構成は下層４、中間層５および上層６の３層である。下層４には、目砂などのかさ比重１．２以上の硬質粒状物が用いられる。なお、下層４には他の粒状物が若干含まれていてもよい。すなわち、下層４は実質的に硬質粒状物から構成されていればよい。
【００２１】
人工芝１が敷設される下地７は砕石もしくはアスファルト・コンクリートなどであってよいが、人工芝１と下地７との摩擦係数が０．７以下である場合には、安定性を確保するため、下層４を形成する硬質粒状物の充填重量を１平方ｍ当たり７ｋｇ以上とすることが好ましい。また、上記摩擦係数が０．７を超える場合には、下層４を形成する硬質粒状物の充填重量は１平方ｍ当たり５ｋｇ以上でよい。
【００２２】
本発明において、中間層５は第１層５１と第２層５２の積層物５０を少なくとも１層分備えている。この実施形態においては、中間層５は積層物５０を２層分備えているが、３層以上の積層物５０から構成されてもよい。すなわち、中間層５は積層物５０を繰り返し単位として、同積層物５０を少なくとも１層分備えていればよい。
【００２３】
第１層５１は実質的にゴムチップなどの弾性粒状物からなり、下層４側に配置される。第２層５２は実質的に硬質粒状物（かさ比重１．２以上）からなり、第１層５１の上に配置される。第１層５１に用いられる粒状物は１００％弾性粒状物である必要はなく他の粒状物が若干含まれてもよい。同様に、第２層５２に用いられる粒状物も１００％硬質粒状物である必要はなく他の粒状物が若干含まれてもよい。
【００２４】
上層６は、実質的にゴムチップなどの弾性粒状物からなり、運動場の表面に適度な滑り性と弾力性を付与する。上層６内に砂などの硬質粒状物が多少含まれていたとしても、その硬質粒状物は自然に分離して下方に落下し、弾性粒状物のみが上層６に残る。
【００２５】
次に、図２により本発明の施工例を説明する。まず、図２（ａ）のように、パイル３の長さが５０〜６０ｍｍである人工芝１を下地７上に敷き込み、そのパイル間の芝目内に硬質粒状物として、かさ比重が１．５程度の目砂（珪砂；平均粒度０．３〜１．０ｍｍ）４１を散布し、図２（ｂ）のように、ブラシ掛けして厚さ約１０ｍｍの下層４を形成する。
【００２６】
その場合、例えば１回当たりの充填量が２〜４ｍｍ程度となるようにし、これを３〜５回程度にわけて散布・ブラシ掛けを行なうことにより、目砂４１をパイル３の根元側に詰まるように効果的に充填することができる。
【００２７】
次に、図２（ｃ）のように、下層４上に弾性粒状物として、かさ比重が０．５程度のタイヤ粉砕ゴムチップ（平均粒度０．５〜１．８ｍｍ）５１１を散布し、ブラシ掛けして厚さ約５ｍｍの弾性粒状物よりなる第１層５１を形成する。
【００２８】
しかる後、図２（ｄ）のように、第１層５１上にかさ比重が１．５程度の目砂（珪砂；平均粒度０．３〜１．０ｍｍ）５２１を散布し、ブラシ掛けして厚さ約５ｍｍの硬質粒状物よりなる第２層５２を形成する。
【００２９】
なお、図２（ｅ）のように、第１層５１および第２層をそれぞれ例えば１〜３ｍｍとして交互に散布・ブラシ掛けして、ゴムチップ５１１と目砂５２１の積層物５０を２層分以上形成してもよい。その場合、ブラシ掛けの強さにより人工芝１内においてゴムチップ５１１と目砂５２１を混合させることもできる。
【００３０】
次に、図２（ｆ）のように、中間層５上にかさ比重が０．５程度のタイヤ粉砕ゴムチップ（平均粒度０．５〜１．８ｍｍ）６１を散布し、ブラシ掛けして厚さ約１０ｍｍの弾性粒状物よりなる上層６を形成する。
【００３１】
本発明によれば、上記のようにして、実質的に硬質粒状物からなる下層４、弾性粒状物と硬質粒状物の積層物からなる中間層５および実質的に弾性粒状物からなる上層６の３層構成の粒状物層を有する人工芝製運動場が構築される。
【００３２】
なお、中間層５について施工当初、実質的に弾性粒状物からなる第１層５１と、実質的に硬質粒状物からなる第２層を分けて形成したとしても、使用に伴なってプレーヤーなどによる衝撃により、第１層５１の弾性粒状物と第２層の硬質粒状物とが混合することが予測される。
【００３３】
したがって、上記のように積極的に第２層をブラシ掛けして、第１層と混合させることも、当然に本発明に含まれるばかりでなく、そのようにすることにより、上記第４従来例のように、散布に先だって弾性粒状物と硬質粒状物とを混合させる必要もなくなる。
【００３４】
【発明の効果】
以上説明したように、本発明によれば、芝丈が３０ｍｍ以上のロングパイル内に粒状物を充填するにあたって、充填層を下層、中間層および上層の３層に分けるとともに、中間層を弾性粒状物よりなる第１層と硬質粒状物よりなる第２層の積層構造としたことにより、ロングパイル仕様の人工芝であっても、硬質粒状物と弾性粒状物の各充填層のレベルが均一化された人工芝製運動場が得られる。
【００３５】
また、本発明の施工方法によれば、硬質粒状物と弾性粒状物の各粒状物の充填が容易であり、人工芝内において硬質粒状物と弾性粒状物の混合物からなる中間層を得ることができる。
【図面の簡単な説明】
【図１】本発明による人工芝製運動場の一部分を模式的に示した断面図。
【図２】本発明の施工方法を工程順に図解した説明図。
【符号の説明】
１  人工芝
２  基布
３  パイル
４  下層
５  中間層
５０  積層物
５１  第１層
５２  第２層
６  上層
７  下地
【図１】
0003672807.tif 000002
【図２】
0003672807.tif 000003